(57)【要約】【課題】ネットワーク上の通信負荷の軽減や省電力化を図りながら感情情報を共有する端末装置を実現する。【解決手段】ユーザが何らかのテキストデータを作成する都度、新たな感情コードが感情推定手段１００ａにより生成されて更新され、感情コードの更新に応じて、更新された感情コードを添付したメール（又はＳＭＳ）をアドレス帳に登録された友人や知人などの事前に指定した登録ＩＤ宛へ送信する。一方、メールや通話の着信により他のユーザからの感情コードを受信すると、受信した感情コードを感情情報データテーブルＥＴにより表示アイコンに変換して表示する。【選択図】図４
2013210813.tif 000002
【特許請求の範囲】
【請求項１】
作成した文章から感情を推定して感情情報を発生する感情推定手段と、
新たな文章が作成される毎に前記感情推定手段がその都度発生する感情情報を、予め指定された送信先へ送信する送信手段と、
他端末から送信された感情情報を受信して表示する受信表示手段と
を具備することを特徴とする端末装置。
【請求項２】
作成した文章から感情を推定して感情情報を発生する感情推定過程と、
新たな文章が作成される毎に前記感情推定過程がその都度発生する感情情報を、予め指定された送信先へ送信する送信過程と、
他端末から送信された感情情報を受信して表示する受信表示過程と
を具備することを特徴とする感情情報共有方法。
【請求項３】
コンピュータに、
作成した文章から感情を推定して感情情報を発生する感情推定ステップと、
新たな文章が作成される毎に前記感情推定ステップがその都度発生する感情情報を、予め指定された送信先へ送信する送信ステップと、
他端末から送信された感情情報を受信して表示する受信表示ステップと
を実行させることを特徴とするプログラム。
【請求項４】
作成した文章から感情を推定して感情情報を発生する感情推定手段と、
前記感情推定手段が発生する感情情報を記憶する記憶手段と、
前記記憶手段に記憶される感情情報を、ネットワーク上に設けられた保存サーバに送信する送信手段と、
入手したい他ユーザの感情情報を、ネットワーク上に設けられた保存サーバから取得する感情情報取得手段と
を具備することを特徴とする端末装置。
【請求項５】
作成した文章から感情を推定して感情情報を発生する感情推定手段と、
前記感情推定手段が発生する感情情報を記憶する記憶手段と、
感情情報の送受信条件を設定する条件設定手段と、
前記条件設定手段により設定された送信条件を満たした場合に、前記記憶手段に記憶される感情情報を予め指定された送信先へ送信する送信手段と、
前記条件設定手段により設定された受信条件を満たした場合に、他端末からの感情情報を受信する受信手段と
を具備することを特徴とする端末装置。
【請求項６】
作成した文章から感情を推定して感情情報を発生する感情推定手段と、
前記感情推定手段が発生する感情情報を記憶する記憶手段と、
コミュニケーション頻度に応じて感情情報の送受信間隔を調整する調整手段と、
前記調整手段により調整された間隔で前記記憶手段に記憶される感情情報を予め指定された送信先へ送信する送信手段と、
前記調整手段により調整された間隔で他端末からの感情情報を受信する受信手段と
を具備することを特徴とする端末装置。
【請求項７】
作成した文章から感情を推定して感情情報を発生する感情推定手段と、
前記感情推定手段が発生する感情情報を記憶する記憶手段と、
前記記憶手段に記憶される感情情報を、コミュニケーション頻度の高い相手先へ送信する送信手段と、
コミュニケーション頻度の高い相手先からの感情情報を受信する受信手段と
を具備することを特徴とする端末装置。
【請求項８】
前記調整手段は、アドレス帳に登録されたユーザをグループ分けし、グループ毎に感情情報の送受信間隔を設定することを特徴とする請求項６記載の端末装置。
【請求項９】
前記調整手段は、特定プロファイルを有するユーザに感情情報の送受信間隔を設定することを特徴とする請求項６記載の端末装置。
【発明の詳細な説明】
【技術分野】
【０００１】
本発明は、ユーザが作成した文章から感情を推定して得た感情情報を、当該ユーザの友人や知人と相互に送り合うことで互いの感情情報を共有する端末装置、感情情報共有方法およびプログラムに関する。
【背景技術】
【０００２】
従来より、文章の内容を解析して文章に込められた感情を推定する技術が知られており、例えば特許文献１には受信した文字メッセージの感情度合いや重要度合い等の判定を適正に行うことが可能な通信機器が開示されている。また、特許文献２には、推定された感情をアドレス帳情報と関連づけて保存する技術も開示されている。
【先行技術文献】
【特許文献】
【０００３】
【特許文献１】特開２０１１−１９２３０６号公報
【特許文献２】特開２００５−３１１９１５号公報
【発明の概要】
【発明が解決しようとする課題】
【０００４】
ところで、上記特許文献１，２に開示の技術を用いることで、テキストデータの送受信の際に、テキストデータを解析することで感情を推定し、推定した感情をユーザＩＤに基づきアドレス帳へ保存して利用することで、相手の感情に合わせた対応を行い、コミュニケーションを円滑に進めることが可能になる。
【０００５】
コミュニケーション開始前に相手の感情を知り、その後にコミュニケーションを開始し、円滑なコミュニケーションを行う際には、可能な限り最新の感情情報を入手することが必要となる。しかしながら、上記特許文献１，２に開示の技術を用いた場合、アドレス帳に登録してある件数の全てのＩＤにおける感情情報を最新に更新するためには、頻繁なテキストデータを用いたコミュニケーション（送受信）が必要となり、全件に対して送信することも、全件から確実に受信することも難しい上に、送受信データ量が多くなりネットワーク上の通信負荷が高くなるという問題が生じる。加えて、常に最新情報を取得するには頻繁な通信が必要となり、このことからも通信負荷の増加を招く上、端末装置の消費電力も増加してしまうという問題がある。
【０００６】
本発明は、このような事情に鑑みてなされたもので、ネットワーク上の通信負荷の軽減や省電力化を図りながら感情情報を共有することができる端末装置、感情情報共有方法およびプログラムに関する。
【課題を解決するための手段】
【０００７】
上記目的を達成するため、本発明の端末装置は、作成した文章から感情を推定して感情情報を発生する感情推定手段と、新たな文章が作成される毎に前記感情推定手段がその都度発生する感情情報を、予め指定された送信先へ送信する送信手段と、他端末から送信された感情情報を受信して表示する受信表示手段とを具備することを特徴とする。
【０００８】
また、本発明の感情情報共有方法は、作成した文章から感情を推定して感情情報を発生する感情推定過程と、新たな文章が作成される毎に前記感情推定過程がその都度発生する感情情報を、予め指定された送信先へ送信する送信過程と、他端末から送信された感情情報を受信して表示する受信表示過程とを具備することを特徴とする。
【０００９】
さらに、本発明のプログラムは、コンピュータに、作成した文章から感情を推定して感情情報を発生する感情推定ステップと、新たな文章が作成される毎に前記感情推定ステップがその都度発生する感情情報を、予め指定された送信先へ送信する送信ステップと、他端末から送信された感情情報を受信して表示する受信表示ステップとを実行させることを特徴とする。
【発明の効果】
【００１０】
本発明では、ネットワーク上の通信負荷の軽減や省電力化を図りながら感情情報を共有することができる。
【図面の簡単な説明】
【００１１】
【図１】実施の一形態による端末装置１００の構成を示すブロック図である。
【図２】メモリ部１０７に格納される感情情報データテーブルＥＴの一例を示す図である。
【図３】感情推定手段１００ａの概略動作を説明するための図である。
【図４】端末装置間で感情情報を送受信する形態を示す図である。
【図５】ネットワーク上の感情情報保存サーバ２０を介して感情情報を共有する形態を示す図である。
【図６】感情情報保存サーバ２０に格納される保存データテーブルＲＴの一例を示す図である。
【図７】ネットワーク上の感情情報保存サーバ２０を介在させて各ユーザがそれぞれ互いの感情情報を共有する形態を示す図である。
【図８】感情情報保存サーバ２０と授受するデータの一例を示す図である。
【図９】更新頻度データテーブルＵＴの一例を示す図である。
【図１０】グループ別更新頻度データテーブルＧＴの一例を示す図である。
【発明を実施するための形態】
【００１２】
以下、図面を参照して本発明の実施形態について説明する。図１は、実施の一形態による端末装置１０の構成を示すブロック図である。この図において、制御部１００は、ＣＰＵおよび入出力回路などから構成され、後述の操作部１０５から供給される操作イベントに応じて各部動作を制御する。また、制御部１００は、ユーザが作成したテキストデータを分析して当該ユーザの感情（気持ち）を推定する情推定手段１００ａを備える。
【００１３】
第１の通信部１０１は、制御部１００の制御の下に、音声通話時にはアンテナを介して受信復調した音声データを制御部１００に出力する一方、制御部１００から供給される音声データを変調して得た送信信号を高周波増幅して無線送信し、データ通信時にはアンテナ（不図示）を介して移動体通信網の基地局と無線通信でデータ授受する。
【００１４】
表示部１０２は、カラー液晶パネルおよび表示ドライバから構成され、制御部１００の制御の下に、待受画面など各種画面を表示する。スピーカ１０３は、制御部１００からＤ／Ａ変換出力される音声信号を放音する。マイクロフォン１０４は、入力音声を音声信号に変換して制御部１００に出力する。
【００１５】
操作部１０５は、タッチパネル部およびキースイッチ部を備える。操作入力部１０５のタッチパネル部は、表示部１０２の表示画面上に敷設され、画面に表示されるアイコンやソフトキーボードなどのタッチ操作で発生する操作イベントを発生して制御部１００へ出力する。また、操作入力部１０５のキースイッチ部は、図示していなが、電源部１０２をパワーオン／オフさせる電源スイッチの他、スピーカ１０４の音量を設定するボリュームキー等を備え、これらキーやスイッチの操作に応じた操作イベントを発生して制御部１００へ出力する。
【００１６】
ＧＰＳ受信部１０６は、ＧＰＳ衛星からのＧＰＳ信号を受信して制御部１００に供給する。制御部１００では、第１の通信部１０１が移動体通信網の基地局から受信したＧＰＳアシストデータとＧＰＳ受信部１０７が受信したＧＰＳ信号とに基づき現在位置を測位する。
【００１７】
メモリ部１０７は、ワークエリア、プログラムエリア、データエリア、ユーザエリアおよび感情情報エリアを備える。メモリ部１０７のワークエリアは、制御部１００の作業領域として用いられ、各種レジスタ・フラグデータが一時記憶される。メモリ部１０７のプログラムエリアには、制御部１００により実行される各種プログラムが記憶される。各種プログラムには、情推定手段１００ａの機能を具現するプログラムも含まれる。
【００１８】
メモリ部１０７のデータエリアには、所定のプログラムにより参照される制御データや、例えば待受画面などを形成する各種画面データ等の他、感情情報データテーブルＥＴが記憶される。図２は、感情情報データテーブルＥＴの一構成例を示す図である。この図に示す感情情報データテーブルＥＴは、感情推定手段１００ａから出力される感情推定結果（感情コード）を意味および表示アイコンに変換するデータテーブルである。
【００１９】
例えば情推定手段１００ａがユーザが作成したテキストデータを分析して当該ユーザの感情（気持ち）を推定した得られた感情コードが「ＦＳ１」であると、「楽しい」気持ちの意味と、それを表現する笑顔マークの表示アイコンとに変換される。また、メールや通話の着信により他ユーザから感情コードを受信した場合には、受信した感情コードを感情情報データテーブルＥＴにより表示アイコンに変換する。
【００２０】
メモリ部１０７のユーザエリアには、送受信メールやアドレス帳、メモ、スケジューラなどの各種ユーザデータが記憶される。メモリ部１０７の感情情報エリアには、感情推定手段１００ａにより感情推定された結果（感情コードおよび意味）を変換した、ユーザ自身の気持ちを表現する表示アイコンが登録される。また、この感情情報エリアには、ユーザ自身の気持ちを表現する表示アイコン以外に、友人や知人などの他ユーザの表示アイコンもアドレス帳の登録ＩＤに関連付けて登録される。メモリ部１０７の感情情報エリアに保存される表示アイコンには保存日時または更新日時が付加される。
【００２１】
第２の通信部１０８は、Ｂｕｌｅｔｏｏｔｈ（登録商標）やＷｉ−Ｆｉ（登録商標）などの短距離無線通信機能および赤外線通信機能を備え、これら機能により他の端末装置と直接的にデータ授受する。付加機能部１０９は、「おサイフケータイ（登録商標）」等に代表される非接触ＩＣカード機能やカメラ機能を備える。
【００２２】
次に、上記構成による端末装置１０において、感情推定手段１００ａを用いて、ユーザが作成した文章から感情を推定して得た感情コードを、当該ユーザの友人や知人と相互に送り合うことで互いの感情を共有する動作について説明する。
【００２３】
先ず図３は、制御手段１００が備える感情推定手段１００ａの概略動作を説明するための図である。この図に示すように、ユーザがテキストデータの作成を完了すると、感情推定手段１００ａが自動起動し、作成完了したテキストデータの内容を分析して筆者（ユーザ）の感情（気持ち）を推定して感情コードを発生する。感情コードは、推定した感情を表す情報である。
【００２４】
出力された感情コードは、メモリ部１０７のデータエリアに格納される感情情報データテーブルＥＴ（図２参照）により意味および表示アイコンに変換された後、メモリ部１０７の感情情報エリアに保存される。ユーザの感情（気持ち）を表現する表示アイコンは、対応するアイコン画像を指定するデータである。
【００２５】
また、ここで言うテキストデータとは、メール作成時に入力される文章や、メモリ部１０７のユーザエリアに保存するメモやスケジューラで入力する文章の他、ツイッターやブログ、ＳＮＳに書き込みする文章を指す。メール送信時、ツイッターやブログ、ＳＮＳへの書き込み確定時、テキストメモの保存時を、テキストデータの作成終了時と判断する。
【００２６】
したがって、端末装置１０において、ユーザが何らかのテキストデータを作成する都度、新たな感情コードが感情推定手段１００ａにより生成され、それに応じて感情情報データテーブルＥＴで変換される意味および表示アイコンがメモリ部１０７の感情情報エリアに更新登録される。感情コードが更新されると、その更新された感情コードを添付したメール（又はＳＭＳ）をアドレス帳に登録された友人や知人などの事前に指定した登録ＩＤ宛へ送信する。
【００２７】
こうしたネットワーク経由のメール（又はＳＭＳ）送信の他、図４に図示するように、第２の通信部１０８を用いて他の端末装置１０との間で直接通信（短距離無線通信あるいは赤外線通信）を行い、互いに自己の感情（気持ち）を表現する感情コードを授受する形態も可能である。他の端末装置１０からメール受信もしくは直接受信した相手の感情コードは、アドレス帳に登録された登録ＩＤに関連付けてメモリ部１０７の感情情報エリアにアドレス帳データにおける一項目として保存される。
【００２８】
メールや通話の着信時においては、着信時に表示される所定のデータ（発信者名、発信番号、メール件名）とあわせて感情表現する表示アイコンも画面に表示される。感情表現する表示アイコンに替えて、感情コードに関連付けた所定の画像データを用いて表示したり、あるいは感情コードから変換された「意味」を文字表示する態様としてもよい。その際、文字種（フォント）を感情コードに対応付けて変化させる。
【００２９】
このように、本実施形態では、ユーザが何らかのテキストデータを作成する都度、新たな感情コードが感情推定手段１００ａにより生成されて更新され、更新された感情コードを添付したメール（又はＳＭＳ）をアドレス帳に登録された友人や知人などの事前に指定した登録ＩＤ宛へ送信する。
【００３０】
一方、メールや通話の着信により他のユーザからの感情コードを受信すると、受信した感情コードを感情情報データテーブルＥＴにより表示アイコンに変換して表示するので、ネットワーク上の通信負荷の軽減や省電力化を図りながら他のユーザと感情情報を共有することができる。また、作成済みの感情情報を送信することで、ユーザが任意のテキストデータを作成する処理が不要になる。加えて、各ユーザから受信した、それぞれのテキストデータの解析も不要になり、ＣＰＵ動作時間も短縮でき消費電力を削減できる。
【００３１】
次に、図５〜図８を参照して第１変形例について説明する。上述の実施形態では、自己の感情情報を表現する感情コードを、アドレス帳に登録された友人や知人などの事前に指定した登録ＩＤ宛へネットワーク経由でメール（又はＳＭＳ）送信する形態としたが、これに限らず、図５に図示するように、ネットワーク上に感情情報保存サーバ２０を設け、当該感情情報保存サーバ２０を介在させて各ユーザがそれぞれ互いの感情情報（表示アイコンを指定するコード）を共有する形態とすることも可能である。
【００３２】
具体的には、感情情報保存サーバ２０では、ネットワークを介してアクセスする各ユーザ端末装置からユーザＩＤが付加された感情コードを受信し、受信した感情コードおよびユーザＩＤに保存日時（受信日時）を付与して保存データテーブルＲＴ（図６参照）に登録する。感情情報保存サーバ２０にネットワークを介してアクセスする各ユーザ端末装置は、図７に図示するように先ず最初にリクエストデータを送信する。
【００３３】
感情情報保存サーバ２０に送信するリクエストデータの一例を図８（ａ）に図示する。例示されたリクエストデータは、ユーザＩＤ、感情コードおよび保存日時からなるテーブル形式で構成され、その先頭には要求を出す自己のユーザＩＤ（ユーザＡ）を格納し、それ以降には現在、メモリ部１０７の感情情報エリアに保存中の他ユーザＩＤ（登録ＩＤ）の感情コードおよび保存日時を読み出して格納する。
【００３４】
こうしたリクエストデータを端末装置１０（ユーザＡ）から感情情報保存サーバ２０に送信すると、感情情報保存サーバ２０では、図７に図示するように、受信したリクエストデータ中のユーザＩＤリストに基づき該当するユーザＩＤの感情コードを保存中の感情コードの中から検索し、検索して得た結果を検索結果データとして端末装置１０（ユーザＡ）側に返信する。
【００３５】
感情情報保存サーバ２０から返信される検索結果データは、図８（ｂ）に図示する一例のように、リクエストデータと同様のテーブル形式で構成され、自己のユーザＩＤおよび入手したい他のユーザＩＤ（登録ＩＤ）について最新の感情情報（コード）および保存日時が格納される。つまり、前回入手した時点から更新の無いユーザについては返信されないようになっている。
【００３６】
そして、感情情報保存サーバ２０から返信される検索結果データを受信した端末装置では、その検索結果データを、アドレス帳に登録された登録ＩＤに関連付けてメモリ部１０７の感情情報エリアにアドレス帳データにおける一項目として更新登録する。
【００３７】
以上のように、第１変形例によれば、前述の実施形態のように、感情コードが更新される毎に他ユーザへの個別通知したり、他ユーザからの感情コードの個別受信が不要になる為、ネットワーク上の通信負荷の軽減や省電力化を図りながら他のユーザと感情情報を共有することができる。
【００３８】
次に、第２変形例について説明する。前述の実施形態では、テキストデータの作成に伴って感情コードが更新される毎に他ユーザへの個別通知したり、他ユーザからの感情コードの個別受信したりするが、第２変形例では、ユーザにより予め設定された条件に従った状況で感情コードの送受信を実行する。
【００３９】
設定条件としては、例えば「１日１度、午前９時に実行」や「３日に１度、午後８時に実行」など経過日数／任意時刻指定条件や、「毎正時、３時間経過毎に実行」などの任意時間経過条件の他、所定機能（メール（受信/返信）、通話（受信/発信）、ブラウザ、カメラ）を利用した後に実行するなどの所定機能利用条件が挙げられる。これら条件を予め設定し、条件に合致する状況で感情コードの送受信を実行することにより、ネットワーク上の通信負荷の軽減や省電力化を図りながら他のユーザと感情情報を共有することができる。
【００４０】
次に、図９を参照して第３変形例について説明する。前述の実施形態では、テキストデータの作成に伴って感情コードが更新される毎に他ユーザへの個別通知したり、他ユーザからの感情コードの個別受信したりするが、第３変形例では、コミュニケーション頻度に合わせて、感情コードの送受信間隔を調整する。
【００４１】
コミュニケーション頻度に応じて感情コードの送受信間隔を調整する為、第２変形例では、図９に図示する更新頻度データテーブルＵＴをメモリ部１０７のデータエリアに設ける。更新頻度データテーブルＵＴは、最終コミュニケーションからの経過時間を読み出しアドレスとして更新間隔を読み出すデータテーブルである。
【００４２】
この更新頻度データテーブルＵＴが意図するところは、メール、通話、アドレス交換などでコミュニケーションした直後であれば、コミュニケーション対象ユーザとの間において感情コードの送受信間隔を短く設定し、時間の経過と共に送受信間隔を長く設定し、最終的に送受信を停止する。コミュニケーションが発生した際には、再度送受信間隔を短く再設定し、感情コードの送受信を行う。
【００４３】
このように、コミュニケーション頻度に応じて感情コードの送受信間隔を調整すると、コミュニケーション頻度の高いユーザ間での密な感情コードの共有を図ると共に、通信データの総量の低減の両立を図ることができる。なお、第３変形例を上述の第１変形例に適用する場合には、短い間隔で対象ユーザの感情情報の取得を開始し、上記と同様の処理を行えばよい。
【００４４】
次に、第４変形例について説明する。第４変形例では、通信（通話、メール、ＳＭＳ）の頻度の高いユーザとの間だけで感情コードを送受信する。例えば所定期間におけるコミュニケーション頻度（通話回数、メール送信回数、メール受信回数）を計数し、その頻度が高い上位１０名との間だけで感情コードを送受信し合う。このようにしても、ネットワーク上の通信負荷の軽減や省電力化を図りながら他のユーザと感情情報を共有することができる。
【００４５】
次に、図１０を参照して第５変形例について説明する。前述の実施形態では、テキストデータの作成に伴って感情コードが更新される毎に他ユーザへの個別通知したり、他ユーザからの感情コードの個別受信したりするが、第５変形例では、アドレス帳に登録されたユーザＩＤ（登録ＩＤ）をグループ分けし、グループ毎に感情コードの送受信間隔を設定する。
【００４６】
グループ毎に感情コードの送受信間隔を設定する為、第５変形例では、図１０に図示するグループ別更新頻度データテーブルＧＴをメモリ部１０７のデータエリアに設ける。グループ別更新頻度データテーブルＧＴは、グループＩＤを読み出しアドレスとして更新間隔を読み出すデータテーブルである。グループは、アドレス帳の登録グループを利用する。グループ別に更新間隔を異ならせることでネットワーク上の通信負荷の軽減や省電力化を図りながら他のユーザと感情情報を共有することができる。
【００４７】
次に、第６変形例について説明する。第６変形例では、特定のプロファイルを持った者のユーザＩＤ（登録ＩＤ）に対する感情コードの送受信間隔を個別に設定する。以下に特定のプロファイルを例示する。
（ａ）アドレス帳に新しく登録した者：最初は短く、次第に間隔を長く設定を変更し、最終的には他ユーザと同じ扱いにする。
（ｂ）誕生日などイベントがある者：アドレス帳やスケジューラーの登録情報からイベントのあるユーザＩＤ（登録ＩＤ）を検出し、イベントのある前後の期間は感情コードの送受信間隔を短く設定する。
（ｃ）ツイッターやＳＮＳで関係のある者：ツイッターサービスやＳＮＳサービスにおいて関係のあるユーザ情報を、各サービスサーバより入手し、関連のあるユーザＩＤの送受信間隔を短く設定する。
（ｄ）ツイッターやＳＮＳで書き込みのあった者：ツイッターサービスやＳＮＳサービスにおいて関係のあるユーザ情報を、各サービスサーバより入手し、各サービスにおいて書き込みがあったユーザを判別し、そのユーザのユーザＩＤに対しての送受信間隔を短く設定しておき、時間の経過と共に、送受信間隔を長く設定し、最終的には他のユーザと同じ扱いにする。
【００４８】
こうした第６変形例によれば、通信データの総量の低減と、特定ユーザとの密な感情情報の送受の両立が図れる。
【００４９】
本発明は、前述した実施形態や第１乃至第６変形例に限定されるものではなく、本発明の範囲で種々変形することが可能である。一例として挙げれば、本実施形態は、携帯電話やスマートフォン等の端末装置に限らず、ネットワークに接続して通信する機能を備える電子機器（ゲーム装置、タブレットＰＣ、ラップトップ／ノートＰＣなど）にも適用可能であることは言うまでもない。
【００５０】
次に、本発明の特徴を付記する。なお、上記の実施形態の一部又は全部は、以下の付記のように記載され得るが、その記載に限定されるものではない。
【００５１】
（付記１）
作成した文章から感情を推定して感情情報を発生する感情推定手段と、
新たな文章が作成される毎に前記感情推定手段がその都度発生する感情情報を、予め指定された送信先へ送信する送信手段と、
他端末から送信された感情情報を受信して表示する受信表示手段と
を具備することを特徴とする端末装置。
【００５２】
（付記２）
作成した文章から感情を推定して感情情報を発生する感情推定過程と、
新たな文章が作成される毎に前記感情推定過程がその都度発生する感情情報を、予め指定された送信先へ送信する送信過程と、
他端末から送信された感情情報を受信して表示する受信表示過程と
を具備することを特徴とする感情情報共有方法。
【００５３】
（付記３）
コンピュータに、
作成した文章から感情を推定して感情情報を発生する感情推定ステップと、
新たな文章が作成される毎に前記感情推定ステップがその都度発生する感情情報を、予め指定された送信先へ送信する送信ステップと、
他端末から送信された感情情報を受信して表示する受信表示ステップと
を実行させることを特徴とするプログラム。
【００５４】
（付記４）
作成した文章から感情を推定して感情情報を発生する感情推定手段と、
前記感情推定手段が発生する感情情報を記憶する記憶手段と、
前記記憶手段に記憶される感情情報を、ネットワーク上に設けられた保存サーバに送信する送信手段と、
入手したい他ユーザの感情情報を、ネットワーク上に設けられた保存サーバから取得する感情情報取得手段と
を具備することを特徴とする端末装置。
【００５５】
（付記５）
作成した文章から感情を推定して感情情報を発生する感情推定手段と、
前記感情推定手段が発生する感情情報を記憶する記憶手段と、
感情情報の送受信条件を設定する条件設定手段と、
前記条件設定手段により設定された送信条件を満たした場合に、前記記憶手段に記憶される感情情報を予め指定された送信先へ送信する送信手段と、
前記条件設定手段により設定された受信条件を満たした場合に、他端末からの感情情報を受信する受信手段と
を具備することを特徴とする端末装置。
【００５６】
（付記６）
作成した文章から感情を推定して感情情報を発生する感情推定手段と、
前記感情推定手段が発生する感情情報を記憶する記憶手段と、
コミュニケーション頻度に応じて感情情報の送受信間隔を調整する調整手段と、
前記調整手段により調整された間隔で前記記憶手段に記憶される感情情報を予め指定された送信先へ送信する送信手段と、
前記調整手段により調整された間隔で他端末からの感情情報を受信する受信手段と
を具備することを特徴とする端末装置。
【００５７】
（付記７）
作成した文章から感情を推定して感情情報を発生する感情推定手段と、
前記感情推定手段が発生する感情情報を記憶する記憶手段と、
前記記憶手段に記憶される感情情報を、コミュニケーション頻度の高い相手先へ送信する送信手段と、
コミュニケーション頻度の高い相手先からの感情情報を受信する受信手段と
を具備することを特徴とする端末装置。
【００５８】
（付記８）
前記調整手段は、アドレス帳に登録されたユーザをグループ分けし、グループ毎に感情情報の送受信間隔を設定することを特徴とする付記６記載の端末装置。
【００５９】
（付記９）
前記調整手段は、特定プロファイルを有するユーザに感情情報の送受信間隔を設定することを特徴とする付記６記載の端末装置。
【符号の説明】
【００６０】
１０  端末装置
１００  制御部
１００ａ  感情推定手段
１０１  第１の通信部
１０２  表示部
１０３  スピーカ
１０４  マイクロフォン
１０５  操作部
１０６  ＧＰＳ受信部
１０７  メモリ部
１０８  第２の通信部
１０９  付加機能部
【図１】
2013210813.tif 000003
【図２】
2013210813.tif 000004
【図３】
2013210813.tif 000005
【図４】
2013210813.tif 000006
【図５】
2013210813.tif 000007
【図６】
2013210813.tif 000008
【図７】
2013210813.tif 000009
【図８】
2013210813.tif 000010
【図９】
2013210813.tif 000011
【図１０】
2013210813.tif 000012